(57)【要約】【課題】  少量の接着剤で確実に接着強度を保ち、接着強度試験が可能で運搬性を向上し、コストの掛からない作業性・安全性・経済性の良い多層構造式遮水シートの接着方法の開発・提供をする事にある。【解決手段】  縦・横所定寸法を有するＰＶＣ等の防水素材から成り、不織布等の保護マットで表裏交互に被覆され、且つ、重合貼着して複数枚から成り、且つ、該遮水シートは、上部保護マット中央部の所定間隔空けた複数箇所の表裏両面及び全周面部にゴムやポリエステル系・塩化ビニール系等の複数のロープ取付用穴付テープバンドを縫着し、且つ、該中間部保護マット中央部の所定間隔空けた複数箇所の両面及び全周部と、下部保護マット中央部の所定間隔空けた複数箇所の上面部にゴムやポリエステル系・塩化ビニール系等のテープバンドをそれぞれ縫着し、且つ、それぞれのテープバンドの接合面部を、ボンド等の接着剤を塗布して圧着又は熱溶着して設けたものである。【選択図】  図１
2006062174.tif 000002
【特許請求の範囲】
【請求項１】
護岸・廃棄物処分場等に使用する遮水シートであって、該遮水シート（２）は、縦（Ｌ）・横（Ｗ）所定寸法を有するＰＶＣ等の防水素材から成り、且つ、不織布等の保護マット（１ａ）（１ｂ）（１ｃ）で表裏交互に被覆され、且つ、重合貼着して複数枚から成り、且つ、該遮水シート（２）は、上部保護マット（１ａ）中央部の所定間隔（ｌ）空けた複数箇所の表裏両面及び全周面部にゴムやポリエステル系・塩化ビニール系等の複数のロープ取付用穴（３ａ）付テープバンド（３）を縫着し、且つ、該中間部保護マット（１ｂ）中央部の所定間隔（ｌ）空けた複数箇所の両面及び全周部と、下部保護マット（１ｃ）中央部の所定間隔（ｌ）空けた複数箇所の上面部にゴムやポリエステル系・塩化ビニール系等のテープバンド（４）（５）をそれぞれ縫着し、且つ、それぞれのテープバンド（３）（４）（５）の接合面部をボンド等の接着剤（ＢＯ）を塗布して圧着又は熱溶着して設けた事を特徴とする多層構造式遮水シートの接着方法。
【発明の詳細な説明】
【技術分野】
【０００１】
この発明は、護岸・廃棄物処分場等に使用する多層構造式遮水シートの接着方法に関するものである。
【背景技術】
【０００２】
従来、遮水シートの保護材として、シートの表裏に不織布等の保護マットを各種の接着剤を使用して貼着しているが、シートと不織布の接着は物理的に不可能で、使用する環境の温度や湿度及び力の掛かり具合等で剥がれ易い等の問題が有った。
【０００３】
又、図４に示す様に遮水シートと保護マット間の接着は強度を維持する為に人力により接着剤を全面に塗布し、転圧ローラーによって貼り合わせ、ロール状に巻き取って現場に搬入していた。その為、接着剤の消費量と貼付け工数は膨大な量でコスト的にも非常に高額に成る。又、一度接着した遮水シートがローラー状に巻き取る時に剥がれて効力が減少する場合があった。
【０００４】
又、従来の接着方法は、接着強度試験が出来ない為、信憑性に欠け、接着強度の証明が出来ない等、不安要素が多分にあった。
【０００５】
又、最近では安全・環境汚染対策の一環として、厚生省の指示により二重シートの敷設が義務付けられると共に、工期短縮、経費節減等が求められ、施工業者にとっては益々経済的に厳しく成ってきているというのが現状である。
【０００６】
そこで、これまでに出願されている特許文献を参考の為に紹介する。（特許文献１〜４参照。）
【特許文献１】特公開平６−１８２９２５
【特許文献２】特公開２００３−０２５４７２
【特許文献３】特公開２００３−２２５６３０
【特許文献４】特公開２００４−１５０１１２
【発明の開示】
【発明が解決しようとする課題】
【０００７】
そこで、上記課題を解決する為に、この発明は少量の接着剤で確実に接着強度を保ち、且つ、接着強度試験が可能で運搬性を向上し、コストの掛からない作業性・安全性・経済性の良い多層構造式遮水シートの接着方法の開発・提供をする事にある。
【課題を解決するための手段】
【０００８】
この課題を解決する為の手段として、この発明の遮水シートは、縦・横所定寸法を有するＰＶＣ等の防水素材から成り、且つ、不織布等の保護マットで表裏交互に被覆され、且つ、重合貼着して複数枚から成り、且つ、該遮水シートは、上部保護マット中央部の所定間隔空けた複数箇所の表裏両面及び全周面部にゴムやポリエステル系・塩化ビニール系等の複数のロープ取付用穴付テープバンドを縫着し、且つ、該中間部保護マット中央部の所定間隔空けた複数箇所の両面及び全周部と、下部保護マット中央部の所定間隔空けた複数箇所の上面部にゴムやポリエステル系・塩化ビニール系等のテープバンドをそれぞれ縫着し、且つ、それぞれのテープバンドの接合面部を、ボンド等の接着剤を塗布して圧着又は熱溶着して設けたものである。
【発明の効果】
【０００９】
この発明の効果として、遮水シートは、縦・横所定寸法を有するＰＶＣ等の防水素材から成り、且つ、不織布等の保護マットで表裏交互に被覆され、且つ、重合貼着して複数枚から成り、且つ、該遮水シートは、上部保護マット中央部の所定間隔空けた複数箇所の表裏両面及び全周面部にゴムやポリエステル系・塩化ビニール系等の複数のロープ取付用穴付テープバンドを縫着し、且つ、該中間部保護マット中央部の所定間隔空けた複数箇所の両面及び全周部と、下部保護マット中央部の所定間隔空けた複数箇所の上面部にゴムやポリエステル系・塩化ビニール系等のテープバンドをそれぞれ縫着し、且つ、それぞれのテープバンドの接合面部を、ボンド等の接着剤を塗布して圧着又は熱溶着して設ける事で、従来の接着剤の消費量に比較し１／１００に減少出来、コスト軽減が可能に成る。
【００１０】
又、保護マットの両面及び全周面部にテープバンドを縫着し、多層構造式遮水シートにする事で、接着強度が向上し、且つ、接着強度試験が可能と成り、品質保証面で信頼を得る事が出来、更に現場で実際に使用する際も、玉ブイの取り付けが容易になる等極めて有益なる効果を奏するものである。
【発明を実施するための最良の形態】
【００１１】
そこで、この発明の最良の形態は、多層構造式遮水シートの重量を支える事が可能な接着強度を維持する為に、バランスのとれたテープバンドの取り付け位置と接着強度の優れた接着剤を選定する事が必要である。
【実施例１】
【００１２】
そこで、この発明の一実施例を図１〜図３に従って詳述すると、護岸・廃棄物処分場等に使用する遮水シートであって、該遮水シート（２）は、縦（Ｌ）・横（Ｗ）所定寸法を有するＰＶＣ等の防水素材から成り、且つ、不織布等の保護マット（１ａ）（１ｂ）（１ｃ）で表裏交互に被覆され、且つ、重合貼着して複数枚から成り、且つ、該遮水シート（２）は、上部保護マット（１ａ）中央部の所定間隔（ｌ）空けた複数箇所の表裏両面及び全周面部にゴムやポリエステル系・塩化ビニール系等の複数のロープ取付用穴（３ａ）付テープバンド（３）を縫着し、且つ、該中間部保護マット（１ｂ）中央部の所定間隔（ｌ）空けた複数箇所の両面及び全周部と、下部保護マット（１ｃ）中央部の所定間隔（ｌ）空けた複数箇所の上面部にゴムやポリエステル系・塩化ビニール系等のテープバンド（４）（５）をそれぞれ縫着し、且つ、それぞれのテープバンド（３）（４）（５）の接合面部にボンド等の接着剤（ＢＯ）を塗布して圧着又は熱溶着して設けた事を特徴とする多層構造式遮水シートから構成される。
【００１３】
次に、この発明の詳細について説明すると、例えば図１の様に５層構造式遮水シートの場合、遮水シート（２）は防水性を確保する為に、一切加工は施さず、上部と中間部と下部に位置する不織布等の保護マット（１ａ）（１ｂ）（１ｃ）にテープバンド（３）（４）（５）を縫着し、該テープバンドの接合面部にボンド等の接着剤（Ｂ）を塗布して圧着又は熱溶着により接合する。尚、接着剤（ＢＯ）には水中でも使用可能な強力な両面テープ等を使用して接合しても構わない。
【００１４】
又、遮水シートの詳細寸法について説明すると、不織布（１ａ）（１ｂ）（１ｃ）及び遮水シート（２）幅の定格寸法は２ｍのロール巻きに成っていて、板厚（ｔ１）（ｔ２）は不織布が５ｍｍで、遮水シート（ＰＶＣ）が３ｍｍである。又、遮水シート（２）は図６に示す様に現地に搬入した後に、現場で貼り合わせ加工、及び玉ブイ（Ｂ）とロープ（Ｒ）の取り付けを行い、海上へ浮上させて徐々に沖へ向けて敷設していく。そして、最終的には全幅が４０ｍで、全長が５０ｍの大きさになる。
【００１５】
又、不織布の両面又は上面部に縫着するテープバンドは、材質がゴムやポリエステル系・塩化ビニール系の接着性の高い物を使用し、幅寸法は約６０ｍｍで、上部用テープバンドは逆Ｔ字形状に成っていて、縦板面部に複数のロープ取付用穴（３ａ）を設けて、玉ブイをロープで係止できる様に成っている。
【００１６】
又、図４は従来の遮水シート（３層構造式）の分解図と作業手順を示す斜視図である。
【００１７】
そして、図５は従来の遮水シート（５層構造式）を、玉ブイにより海上浮上させて敷設する時の正面視断面図である。
【産業上の利用可能性】
【００１８】
この発明は、少量の接着剤で確実に接着強度を保ち、且つ、接着強度試験が可能で、運搬性を向上し、作業性・安全性・経済性の良い多層構造式遮水シートの接着方法を提供する事で、土木建築市場に寄与する点で、産業上の利用可能性を有する。
【図面の簡単な説明】
【００１９】
【図１】この発明の一実施例を示し、多層構造式遮水シートの斜視図である。
【図２】この発明の一実施例を示し、正面視断面図である。
【図３】この発明の一実施例を示し、玉ブイを取り付けて海上浮上時の正面視断面図である。
【図４】この発明の従来例を示し、遮水シートと作業手順を示す斜視図である。
【図５】この発明の従来例を示し、玉ブイを取り付けて海上浮上敷設時の正面視断面図である。
【図６】この発明の従来例を示し、現場広幅加工状況を示す斜視図である。
【符号の説明】
【００２０】
１ａ  上部保護マット
１ｂ  中間保護マット
１ｃ  下部保護マット
２  遮水シート
３  ロープ取付用穴付テープバンド
３ａ  ロープ取付用穴
４  テープバンド
５  テープバンド
Ｂ  玉ブイ
ＢＯ  ボンド等の接着剤
Ｓ  海
ｔ１  保護マットの板厚寸法
ｔ２  遮水シートの板厚寸法
ｌ  所定間隔
Ｌ  縦寸法
Ｗ  横寸法
Ｒ  ロープ等の係止部材
【図１】
2006062174.tif 000003
【図２】
2006062174.tif 000004
【図３】
2006062174.tif 000005
【図４】
2006062174.tif 000006
【図５】
2006062174.tif 000007
【図６】
2006062174.tif 000008